(57)【要約】【課題】小型の携帯電子機器の操作部等に用いられ、押圧操作により動作するスイッチ機構およびスイッチであり、薄く構成した構造にもかかわらず大きな動作ストロークを得ることが可能で、且つ、安定した接触状態を得ることが可能なスイッチ機構およびスイッチの提供。【解決手段】中央電極１１が形成された開口部１２と中央電極１１の外側に位置する外側電極１３とを有するベース部材１０と、弾性変形可能な接触子３０からなり、中央電極１１は開口部１２の側壁１４から連続して開口部１２の周囲に至る範囲で形成され、接触子３０と中央電極１１は離間し、接触子３０と外側電極は接触して、接触子３０がベース部材１０に載置される構成とすることにより、薄い構造にて、大きなストロークおよび安定した接触状態を得ることを可能にした。【選択図】図２
2012230879.tif 000002
【特許請求の範囲】
【請求項１】
中央電極と前記中央電極から離れて外側に位置する外側電極とを有するベース部材と、弾性変形可能な接触子と、からなり、前記中央電極には開口部が形成され、前記接触子は前記ベース部材に載置され前記接触子と前記外側電極は常に接触し、初期状態において前記接触子と前記中央電極は離間し、前記接触子に押圧力が加わった動作状態において前記接触子と前記中央電極は接触し、前記接触子の一部が前記開口部に入ることを特徴とするスイッチ機構。
【請求項２】
前記中央電極は前記開口部の側壁から連続して前記開口部の周囲に至る範囲で形成されることを特徴とする請求項１記載のスイッチ機構。
【請求項３】
前記ベース部材は平板であり、前記開口部は前記ベース部材を貫通する貫通孔であることを特徴とする請求項１又は２記載のスイッチ機構。
【請求項４】
前記接触子は金属板をドーム状に加工した弾性体であり、外周縁部が前記外側電極に接触して前記ベース部材に載置されることを特徴とする請求項１、２又は３記載のスイッチ機構。
【請求項５】
前記中央電極は、印刷により形成されていることを特徴とする請求項１、２、３又は４記載のスイッチ機構。
【請求項６】
中央電極と前記中央電極から離れて外側に位置する外側電極とを有するベース部材と、弾性変形可能な接触子と、該接触子に重なり前記ベース部材に接着されるシートと、からなり、前記ベース部材には前記中央電極から延出した中央電極用出力部と前記外側電極から延出した外側電極用出力部が形成され、前記中央電極には開口部が形成され、前記接触子は前記ベース部材に載置され前記接触子と前記外側電極は常に接触し、初期状態において前記接触子と前記中央電極は離間し、前記接触子に押圧力が加わった動作状態において前記接触子と前記中央電極は接触し、前記接触子の一部が前記開口部に入ることを特徴とするスイッチ。
【請求項７】
前記中央電極は前記開口部の側壁から連続して前記開口部の周囲に至る範囲に形成されることを特徴とする請求項６記載のスイッチ。
【請求項８】
前記ベース部材は平板であり、前記開口部は前記ベース部材を貫通する貫通孔であり、前記中央電極は前記貫通孔の側壁から前記接触子が載置される平面である表面の前記開口部の周囲、および前記貫通孔の側壁から前記表面の反対面である裏面の前記開口部の周囲に至る範囲に形成されることを特徴とする請求項６又は７記載のスイッチ。
【請求項９】
前記外側電極用出力部は、前記外側電極からの延出部が前記ベース部材に形成された貫通孔を経て前記裏面に形成され、前記中央電極用出力部は前記中央電極から延出され前記裏面に形成されることを特徴とする請求項６，７又は８記載のスイッチ。
【請求項１０】
前記中央電極用出力部および前記外側電極出力部の少なくとも一つは前記ベース部材の厚み方向の側壁に形成されていることを特徴とする請求項６、７、８又は９記載のスイッチ。
【請求項１１】
前記外側電極は一部が他の部分よりも広く形成されていることを特徴とする請求項６、７、８、９又は１０記載のスイッチ。
【請求項１２】
前記接触子は金属板を皿状の皿バネに加工したものであり、外周縁部が前記外側電極に接触して前記ベース部材に載置されることを特徴とする請求項６、７、８、９、１０又は１１記載のスイッチ。
【請求項１３】
前記中央電極は、印刷により形成されていることを特徴とする請求項６、７、８、９、１０、１１又は１２記載のスイッチ機構。
【請求項１４】
前記表面または前記裏面の少なくとも一方には前記平板が反ることを防止するために、前記中央電極または前記外側電極と同じ材料および同じ加工方法で形成された反り防止部を有することを特徴とする請求項８、９、１０、１１、１２又は１３記載のスイッチ。
【発明の詳細な説明】
【技術分野】
【０００１】  本発明は、弾性変形可能な接触子と、中央電極および外側電極を有するベース部材とからなるスイッチ機構および、それを用いた小型電子機器に組み込まれるプッシュスイッチに関するものである。
【背景技術】
【０００２】  携帯電話機をはじめとした小型の携帯電子機器の操作部には、小型化に伴い薄型のスイッチが配置される。例えば従来例として特開２００８−２３４８８９号公報に示すスイッチがある。図７に示すように基板１０１には中央導電パターン１０２と外側導電パターン１０３が形成され、その上に上側に凸形状をなす皿状の接点ばね２０１が、外周部を外側導電パターン１０３に接触し、皿状の頂上部２０２を中央導電パターン１０２に離間させて基板１０１に載置し、その上に粘着シート３０１を貼り付け、接点ばね２０１が基板１０１上に固定されることによってスイッチ００１が形成され、接点ばね２０１の頂上部２０２を押圧部材４０１によって押圧することにより接点ばね２０１が反発し、接点ばね２０１の頂上部が中央導電パターン１０２に接触し、これによって中央導電パターン１０２と外側導電パターン１０３とが短絡しスイッチがＯＮ状態となるものである。【０００３】  また、図７に示す従来例においては、スイッチ００１の動作ストロークを大きくするために接点ばね２０１の頂上部２０２を押圧する押圧部材４０１を弾性を有するラバーで形成し、これによって接点ばね２０１の動作ストロークと押圧部材４０１の圧縮ストロークからスイッチ００１の動作ストロークを大きくしているものである。
【先行技術文献】
【特許文献】
【０００４】
【特許文献１】特開２００８−２３４８８９号公報
【発明の概要】
【発明が解決しようとする課題】
【０００５】  しかしながら、このような従来のスイッチ００１においては、接点ばね２０１の頂上部２０２を押圧することにより接点ばね２０１が反転し頂上部２０２がほぼ真下にある中央導電パターン１０２に当接することにより外側導電パターン１０３と中央導電パターン１０２とが接点ばね２０１を介して短絡しスイッチ００１がＯＮ状態となるため動作ストロークは接点ばね２０１の頂上部２０２と中央導電パターン１０２との離間距離によって定められることとなり、動作ストロークを大きくする際には接点ばね２０１の頂上部２０２と中央電極パターン１０２との離間距離を大きくする必要があるため、動作方向において大きな高さを有する接点ばね２０１が必要となり、スイッチ全体の高さが高くなり薄型化が求められる携帯用電気機器等への使用が困難となることが考えられる。【０００６】  また、接点ばね２０１の動作方向へのストロークを変化させず、スイッチ００１の動作ストロークを大きくする際には、図７に示す従来例のように接点ばね２０１の上に重ねてラバー等の弾性を有する押圧部材４０１を配置し、接点ばね２０１のストロークにその押圧部材４０１の弾性変形量を加えることによりスイッチ００１の動作ストロークを大きくする必要がある。この際においてもラバー等からなる押圧部材４０１のような別部品が必要となり、そのラバー等の押圧部材４０１が接点ばね２０１に重ねられて配置されることによりスイッチ００１の動作方向の高さが大きくなるという問題点があった。【０００７】  そこで本発明は上述の問題を鑑み、接点ばねを大きくすることなく、また、別部品を加えることなく動作ストロークを大きくすることが可能で、小型、特に薄型の携帯用電気機器に対応可能なスイッチ機構またはスイッチを提供することを目的としたものである。
【課題を解決するための手段】
【０００８】  この従来の問題を解決するために、請求項１記載のスイッチ機構は、中央電極と前記中央電極から離れて外側に位置する外側電極とを有するベース部材と、弾性変形可能な接触子と、からなり、前記中央電極には開口部が形成され、前記接触子は前記ベース部材に載置され前記接触子と前記外側電極は常に接触し、初期状態において前記接触子と前記中央電極は離間し、前記接触子に押圧力が加わった動作状態において前記接触子と前記中央電極は接触し、前記接触子の一部が前記開口部に入ることを特徴とするものである。【０００９】  請求項２記載のスイッチ機構は、請求項１の構成に加え、前記中央電極は、前記開口部の側壁から連続して前記開口部の周囲に至る範囲で形成されることを特徴とするものである。【００１０】  請求項３記載のスイッチ機構は、請求項１又は請求項２の構成に加え、前記ベース部材は、平板であり、前記開口部は前記ベース部材を貫通する貫通孔であることを特徴とするものである。【００１１】  請求項４記載のスイッチ機構は、請求項１、２又は請求項３の構成に加え、前記接触子は、金属板をドーム状に加工した弾性体であり、外周縁部が前記外側電極に接触して前記ベース部材に載置されることを特徴とするものである。【００１２】  請求項５記載のスイッチ機構は、請求項１、２、３又は請求項４の構成に加え、前記中央電極は、印刷により形成されていることを特徴とするものである。【００１３】  請求項６記載のスイッチは、中央電極と前記中央電極から離れて外側に位置する外側電極とを有するベース部材と、弾性変形可能な接触子と、該接触子に重なり前記ベース部材に接着されるシートと、からなり、前記ベース部材には前記中央電極から延出した中央電極用出力部と前記外側電極から延出した外側電極用出力部が形成され、前記中央電極には開口部が形成され、前記接触子は前記ベース部材に載置され前記接触子と前記外側電極は常に接触し、初期状態において前記接触子と前記中央電極は離間し、前記接触子に押圧力が加わった動作状態において前記接触子と前記中央電極は接触し、前記接触子の一部が前記開口部に入ることをを特徴とするものである。【００１４】  請求項７記載のスイッチは、請求項６の構成に加え、前記中央電極は、前記開口部の側壁から連続して前記開口部の周囲に至る範囲に形成されることを特徴とするものである。【００１５】  請求項８記載のスイッチは、請求項６又は請求項７の構成に加え、前記ベース部材は、平板であり、前記開口部は前記ベース部材を貫通する貫通孔であり、前記中央電極は前記貫通孔の側壁から前記接触子が載置される平面である表面の前記開口部の周囲、および前記貫通孔の側壁から前記表面の反対面である裏面の前記開口部の周囲に至る範囲に形成されることを特徴とするものである。【００１６】  請求項９記載のスイッチ機構は、請求項６、７又は請求項８の構成に加え、前記外側電極用出力部は、前記外側電極からの延出部が前記ベース部材に形成された貫通孔を経て前記裏面に形成され、前記中央電極用出力部は前記中央電極から延出され前記裏面に形成されることを特徴とするものである。【００１７】  請求項１０記載のスイッチ機構は、請求項６、７、８又は請求項９の構���に加え、前記中央電極用出力部および前記外側電極出力部の少なくとも一つは、前記ベース部材の厚み方向の側壁に形成されていることを特徴とするものである。【００１８】  請求項１１記載のスイッチ機構は、請求項６、７、８、９又は請求項１０の構成に加え、前記外側電極は、一部が他の部分よりも広く形成されていることを特徴とするものである。【００１９】  請求項１２記載のスイッチ機構は、請求項６、７、８、９、１０又は請求項１１の構成に加え、前記接触子は、金属板を皿状の皿バネに加工したものであり、外周縁部が前記外側電極に接続して前記ベース部材に載置されることを特徴とするものである。【００２０】  請求項１３記載のスイッチ機構は、請求項６、７、８、９、１０、１１又は請求項１２の構成に加え、前記中央電極は、印刷により形成されていることを特徴とするものである。【００２１】  請求項１４記載のスイッチ機構は、請求項８、９、１０、１１、１２又は請求項１３の構成に加え、前記表面または前記裏面の少なくとも一方には、前記平板が反ることを防止するために、前記中央電極または前記外側電極と同じ材料および同じ加工方法で形成された反り防止部を有することを特徴とするものである。
【発明の効果】
【００２２】  請求項１の発明によると、中央電極には開口部が形成されるため、弾性変形可能な接触子が押圧力により中央電極に接触した際、接触子の弾性変形した部分の一部が開口部に入り、更に接触子が中央電極に接触した後においても、更に押圧力が加わることにより更に接触子は弾性変形し、開口部の奥方向へ弾性変形することが可能となり、これによって押圧力による接触子の変形量を大きくすることが可能となり、スイッチ機構における動作ストロークを大きくすることが可能となる。【００２３】  請求項２の発明によると、中央電極は開口部の側壁とベース部材の外側電極を有する面からなる角部においても形成されることになるため、弾性変形可能な接触子が押圧力により中央電極に接触した際、接触子は前述の角部において中央電極と接触することとなるため安定した接触状態を維持することが可能となる。【００２４】  請求項３の発明によると、ベース部材は平板であり開口部は貫通孔であることから、接触子が開口部の奥方向へ弾性変形する変形量を大きくとることが可能であり、また、ベース部材と接触子を重ねて構成するため、本機構自体を薄く構成することが可能となる。【００２５】  請求項４の発明によると、接触子はドーム状の弾性体であることから、押圧による弾性変形の過程において反発し、クリック感が得られ、より良い動作フィーリングを得ることが可能となり、また、反転によりドーム状の湾曲部が開口部へと入ることにより、より大きな動作ストロークを得ることが可能となる。【００２６】  請求項５の発明によると、中央電極は印刷によるものであるため電極の形成が容易で、且つ、ベース部材を小さな厚みで形成することが可能となり本スイッチ機構を薄型化することが可能となる。【００２７】  請求項６の発明によると、中央電極には開口部が形成されるため、弾性変形可能な接触子が押圧力により中央電極に接触した際、接触子の弾性変形した部分の一部が開口部に入り、更に接触子が中央電極に接触した後においても、更に押圧力が加わることにより更に接触子は弾性変形し、開口部の奥方向へ弾性変形することが可能となり、これによって押圧力による接触子の変形量を大きくすることが可能となり、スイッチ機構における動作ストロークを大きくすることが可能となる。更にシートを接触子に重ね、ベース部材に接着することにより開口部と接触子との位置関係を安定させ、スイッチにおける接触を安定させることが可能となる。【００２８】  請求項７の発明によると、中央電極は開口部の側壁とベース部材の外側電極を有する面からなる角部においても形成されることになるため、弾性変形可能な接触子が押圧力により中央電極に接触した際、接触子は前述の角部において中央電極と接触することとなるため安定した接触状態を維持することが可能となる。【００２９】  請求項８の発明によると、ベース部材は平板であり開口部は貫通孔であることから、接触子が開口部の方向へ弾性変形する変形量を大きくとることが可能であり、また、ベース部材と接触子を重ねて構成するため、本スイッチ自体を薄く構成することが可能となる。また、中央電極は貫通孔の側壁から接触子が載置される平面である表面の開口部の周囲、および貫通孔の側壁から表面の��対面である裏面の開口部の周囲に至る範囲に形成されているため、中央電極用出力部をベース部材の裏面に形成することが可能となり、スイッチの電気回路基板等への実装をより容易に行なうことができるものである。【００３０】  請求項９の発明によると、外側電極用出力部は外側電極からの延出部がベース部材に形成された貫通孔を経てベース部材の裏面に形成されることにより、外側電極用出力部をベース部材の裏面に形成することが可能となり、スイッチの電気回路基板等への実装をより容易に行なうことができるものである。【００３１】  請求項１０の発明によると、中央電極用出力部および外側電極出力部の少なくとも一つがベース部材の厚み方向の側壁に形成されているため、スイッチを電気回路基板等に半田付けにて実装する際、側壁に形成された中央電極用出力部または外側電極出力部と電気回路基板等の実装パターンとの間に半田フィレットが形成されスイッチの実装をより強固にすることが可能となる。【００３２】  請求項１１の発明によると、外側電極は一部が他の部分よりも広く形成されていることにより接触子を接触させて載置させる際に、接触子の位置ずれにより、接触子と外側電極とが非接触状態となることを防止することが可能となる。【００３３】  請求項１２の発明によると、接触子はドーム状の弾性体であることから、押圧による弾性変形の過程において反発し、クリック感が得られ、より良い動作フィーリングを得ることが可能となり、また、反転によりドーム状の湾曲部が開口部へと入ることにより、より大きな動作ストロークを得ることが可能となる。更にシートを重ね、ベース部材に貼り付けて位置決めする際にも外側電極との接触状態を各接触部において均一な状態に保つことが可能となる。【００３４】  請求項１３の発明によると、中央電極は印刷によるものであるため電極の形成が容易で、且つ、ベース部材を小さな厚みで形成することが可能となりスイッチを薄型化することが可能となる。【００３５】  請求項１４の発明によると、ベース部材の表面または裏面の少なくとも一方に反り防止部が設けられているため、スイッチを半田付け等で電気回路基板等に実装する際に高温の熱が加わった場合においても、ベース部材しいてはスイッチ自体が反りにより変形することを防止することが可能となる。
【図面の簡単な説明】
【００３６】
【図１】  （ａ）本発明に係るスイッチの正面斜視図  （ｂ）本発明に係るスイッチを構成するシートを取り除いた状態の本発明に係るスイッチの正面斜視図
【図２】  本発明に係るスイッチの分解正面斜視図
【図３】  （ａ）本発明に係るスイッチを構成するベース部材の表面側斜視図  （ｂ）本発明に係るスイッチを構成するベース部材の裏面側斜視図
【図４】  本発明に係るスイッチの押圧動作状態における図１（ａ）のａ−ａ線における断面図
【図５】  （ａ）本発明に係る第二の実施例におけるスイッチを示す表面側斜視図  （ｂ）本発明に係る第二の実施例におけるスイッチを電気回路基板に実装した際の表面側斜視図
【図６】  （ａ）本発明に係る第二の実施例におけるスイッチを構成するベース部材の表面側斜視図  （ｂ）本発明に係る第二の実施例におけるスイッチを構成するベース部材の裏面側斜視図
【図７】  従来のスイッチの分解斜視図
【発明を実施するための形態】
【００３７】  以下、本発明の実施の形態を図面を参照して詳細に説明する。図１乃至図５は本発明の実施の形態を示したものであり、図１は本発明に係るスイッチの正面図、図２は本発明に係るスイッチの分解正面斜視図、図３の（ａ）は本発明に係るスイッチを構成するベース部材の表面側斜視図、（ｂ）は本発明に係るスイッチを構成するベース部材の裏面側斜視図、図４は本発明に係るスイッチの押圧動作状態における図１のＡ−Ａ線における断面図、図５の（ａ）は本発明に係る第二の実施例におけるスイッチを示す表面側斜視図、（ｂ）は本発明に係る第二の実施例におけるスイッチを電気回路基板に実装した際の表面側斜視図である。スイッチ０１は、ベース部材１０、接触子３０、およびシート４０とからなる。
【００３８】  ベース部材１０は、平板である基板であり、ベース部材１０のほぼ中央には円状の貫通孔である開口部１２が設けられ、開口部１２の側壁１４すなわち貫通孔の内側周壁、および側壁１４から連続して平板の両面において開口部１２の周囲に及ぶ範囲には導電性の中央電極１１が形成されている。本実施例においては、ベース部材１０である基板はガラスエポキシ材料からなる積層板であり、前記中央電極１１および後に述べる外側電極１３は銅箔に導電性メッキを施したものがエッチング処理等により形成されたものである。また中央電極１１は開口部１２の側壁１４から連続してベース部材１０の表面１７および裏面１８の開口部１２から同心円を成す範囲で形成されるものである。なお前記の表面１７とは、後に述べるように接触子３０が載置される側の面を示すものであり、裏面１８は表面１７の反対面である。さらに、外側電極１３は表面１７において中央電極１１の外側に略同心円状に形成されており、その一部は他の部分よりも幅広く形成された外側電極接触部２０を形成している。
【００３９】  また裏面１８に形成された中央電極１１からは端部に幅広く形成された中央電極用出力部１５を有する延出部が中央電極１１に連続して形成されている。そして外側電極１３はベース部材１０に形成された貫通孔であるスルーホール２１にまで及び、更にスルーホール２１を介して裏面１８にまで及び、端部に幅広い外側電極用出力部１６が形成されている。
【００４０】  接触子３０は、導電性金属からなる薄板金属をドーム状に形成したものであり、接触抵抗を小さくするため表面には高い導電性を得るための金属鍍金が施されている。
【００４１】  シート４０は、ＰＩ（ポリイミド）等の高分子材料からなるフィルム状素材をベース部材１０よりも小さく略相似形に形成したものであり、一方の面にはベース部材１０の表面１７に貼り付けるための粘着剤または粘着テープが塗布または貼り付けられている。
【００４２】  次に以上の構成部品によるスイッチ０１の組み立ておよび電気回路基板５０等への実装について説明する。最初にベース部材１０に接触子３０を載置する。この際、接触子３０のドーム状に湾曲したほぼ中央にある頂上部３２が、ベース部材１０の中央電極１１の開口部１２の中心のほぼ真上となるように、中央電極１１に離間して位置され、接触子３０の縁部３１は外側電極１３に接触する状態で接触子３０がベース部材１０に載置される。
【００４３】  この状態で次にシート４０が粘着剤または粘着テープが塗布または貼り付けられた面をベース部材１０の表面１７に対向させ、接触子３０に重なる状態でベース部材１０に貼り付ける。この際、シート４０と接触子３０とは粘着される場合と、粘着剤または粘着テープが一部において除かれておりシート４０と接触子３０とが粘着されない場合とを適時選択し得る。このようにしてスイッチ０１が完成し、電気回路基板５０等へ実装されることとなる。
【００４４】  スイッチ０１の電気回路基板５０等への実装は以下のように行なわれる。図  に示すように第１の実施例においてはベース部材１０の裏面１８に中央電極用出力部１５と外側電極用出力部１６が形成されており、電気回路基板５０に形成された中央電極用出力部１５と外側電極用出力部１６に対応する電気回路パターンに中央電極用出力部１５および外側電極用出力部１６を載置させた後に、ハンダ付けすることによりスイッチ０１の電気回路基板５０への実装が完了する。
【００４５】  また図５および図６に示すように第２の実施例においては、ベース部材１０の４つの角部２２が凹状に切り欠かれており、この角部２２における側壁２３、すなわち平板状のベース部材の厚みとなる範囲および、この範囲から連続して表面および裏面における凹状の切り欠き部の周辺が中央電極出力部および外側電極用出力部となっており、この中央電極用出力部および外側電極用出力部を図６に示すように電気回路基板の対応する電気回路パターンに載置し、半田付けすることによりスイッチの電気回路基板への実装が完了する。この際、中央電極用出力部および外側電極用出力部はベース部材の凹状側壁２３に設けられているため、実装時の半田付けの際には、凹状側壁２３に設けられた中央電極用出力部または外側電極用出力部と対応する電気回路パターンとの間に半田フィレット６０が形成されることとなり、これによって強固な実装がなされることとなる。
【００４６】  このように完成および実装されたスイッチ０１は以下のように動作される。まず、接触子３０のドーム状の頂上部３２に外部からシート４０を介して押圧力が加わることにより、接触子３０は弾性変形し頂上部３２がベース部材１０の開口部１２に接近し、ある一定の弾性変形の後にドーム状の湾曲部が反転した時点、あるいは反転した後に更に弾性変形した時点で、接触子３０の湾曲部の一部が開口部１２に形成された中央電極１１に接触することとなる。この際、中央電極１１は開口部１２の側壁１４から連続して表面１７の開口部１２の周囲に及んでいるため、側壁１４と表面１７とからなる角部２２における中央電極１１に接触子３０が接触することとなり、これによって接触子３０の縁部３１が接触している外側電極１３と中央電極１１とが接触子３０を介して短絡し、図４に示すようにスイッチ０１がＯＮ状態となる。
【００４７】  このＯＮ状態において、前述のように既に接触子３０のドーム状の湾曲部は反転しているため、反転により開口部１２に向かって湾曲したドーム状の頂上部３２の開口部側の面が、ベース部材１０の表面１７の高さよりも下方であるベース部材１０の裏面１８方向に位置することとなる。よって、接触子３０の頂上部３２の初期状態からの移動距離は、従来のスイッチ機構にあるように開口部を設けることなく中央導電パターンを表面に形成した場合に比較して、図４に示すようにスイッチＯＮ状態における頂上部３２の開口部側の面とベース部材１０の表面との距離Ａの移動量をより多く得ることが可能となる。すなわち、スイッチのＯＮ状態までの動作ストロークを開口部のない従来のものに比較して距離Ａ大きくすることが可能となる。
【００４８】  更にＯＮした後にも、接触子３０が塑性変形することなく弾性変形可能な範囲であれば、開口部１２があることにより、接触子３０の頂上部３２を押圧し続けることによって更に頂上部３２を下方であるベース部材１０の裏面方向に移動させることが可能である。これによって上述のＯＮ状態から後の頂上部３２の移動距離をαとすれば前記距離Ｂと合わせて、従来の開口部のないスイッチに比較して動作ストロークがＡ＋αの距離大きくすることが可能となり、より良い動作フィーリングを得ることが可能となる。
【００４９】  また先にも述べたようにスイッチ０１がＯＮ状態となる際には、接触子３０の一部が中央電極１１を形成する開口部１２の側壁１４と表面１７とからなる角部２２に接触するため、より安定した接触状態となり得る。
【００５０】  このように本発明におけるスイッチ０１は基板等のベース部材１０とドーム状の接触子３０およびシート４０のみによって構成される薄型のスイッチにもかかわらず、中央電極１１を開口部１２に形成するといった容易な構成とすることで、より大きな動作ストロークを得ることを可能にし、安定した接触状態を得ることを可能にしたものである。
【００５１】  また、中央電極１１を形成する開口部１２を貫通孔とすることにより中央電極用出力部１５をベース部材の表面１７または裏面１８のどちらにも形成することが可能となり、外側電極１３においても、ベース部材１０である基板等に貫通孔であるスルーホール２１を形成することにより外側電極１３から連続して延出させ貫通孔を経て裏面１８へも外側電極用出力部１６を形成することが可能となり、これによって中央電極用出力部１５および外側電極用出力部１６の位置により左右されるスイッチの電気回路基板等への実装方法に、より大きな自由度をもたせることが可能となる。
【００５２】  更には、中央電極用出力部１５および外側電極用出力部１６の配置に自由度があるため、ベース部材１０である基板等の反りを防止するためのソリ防止部１９の形成が容易に自由度をもってできることとなり、これによって効率の良いソリ防止対策を施すことが可能となる。
【００５３】  なお、本スイッチに用いる接触子は、ドーム形状のみでなく、湾曲部が形成され弾性変形するものであれば本発明に係るスイッチ機構およびスイッチに用いることは可能であり、また材料は金属板のみでなく、ラバー等の弾性を有するものであり導電性を有するもの、あるいは導電処理が施されたものであれば本発明に係るスイッチ機構およびスイッチに用いることは可能である。またベース部材も基板のみでなく、開口部が形成され導電性を有する中央電極、外側電極、中央電極用出力部、外側電極用出力部およびこれらを連続させる導電部が形成できるものであれば、本発明に係るスイッチ機構およびスイッチに用いることは可能である。
【符号の説明】
【００５４】  ０１  スイッチ
１０  ベース部材
１１  中央電極
１２  開口部
１３  外側電極
１４  側壁
１５  中央電極用出力部
１６  外側電極用出力部
１７  表面
１８  裏面
１９  反り防止部
２０  外側電極接触部
２１  スルーホール
２２  角部
２３  凹状側壁
３０  接触子
３１  縁部
３２  頂上部
４０  シート
５０  電気回路基板
６０  半田フィレット
００１  スイッチ
１０１  基板
１０２  中央導電パターン
１０３  外側導電パターン
２０１  接点ばね
２０２  頂部
３０１  粘着シート
４０１  押圧部材
【図１】
2012230879.tif 000003
【図２】
2012230879.tif 000004
【図３】
2012230879.tif 000005
【図４】
2012230879.tif 000006
【図５】
2012230879.tif 000007
【図６】
2012230879.tif 000008
【図７】
2012230879.tif 000009